(57)【要約】【課題】  キャップの中空部材に対する固定強度を十分に確保することができて、強い力や衝撃が作用した場合であってもキャップが離脱することのない浴槽蓋を提供する。【解決手段】  平行状に配置した中空部材２…を軟質の連結材３によって連結し、各中空部材２の両端の開口部にキャップ５を装着した浴槽蓋において、キャップ５を蓋部１０と該蓋部１０の背面側から突設した上方脚部１１、１２及び下方脚部１３、１４とを備えた構成とし、中空部材２の下面壁における開口部近傍位置に係合孔６を穿設する一方、キャップ５の下方脚部１３、１４に下方に向けて係合片１５を突設し、これら脚部を中空部材２の両端開口部に嵌合すると共に、下方脚部１３、１４の係合片１５を中空部材２の下面壁の係合孔６に係合せしめた構成とする。【選択図】  図１
2005073882.tif 000002
【特許請求の範囲】
【請求項１】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面から突設された脚部とを備えてなり、
前記中空部材における前記開口部近傍位置に係合孔が穿設される一方、前記キャップの脚部に係合片が設けられ、
前記キャップの脚部が前記中空部材の端部の開口部に挿入配置されると共に、前記脚部の係合片が前記中空部材の係合孔に係合されることによって前記キャップが前記中空部材の開口部に固定されていることを特徴とする浴槽蓋。
【請求項２】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された上方脚部と、前記蓋部の背面の下方側から突設された下方脚部とを備えてなり、
前記中空部材の下面壁における前記開口部近傍位置に係合孔が穿設される一方、前記キャップの下方脚部に下方に向けて突出する係合片が設けられ、
前記キャップの上方脚部の少なくとも一部が前記中空部材の上面壁の内面に当接し、前記キャップの下方脚部の少なくとも一部が前記中空部材の下面壁の内面に当接してこれら脚部が前記中空部材の端部の開口部に嵌合されると共に、前記下方脚部の係合片が前記中空部材の下面壁の係合孔に係合されることによって前記キャップが前記中空部材の開口部に固定されていることを特徴とする浴槽蓋。
【請求項３】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された左右一対の上方脚部と、前記蓋部の背面の下方側から突設された左右一対の下方脚部とを備えてなり、
前記中空部材の下面壁における前記開口部近傍位置に相互に幅方向に離間して一対の係合孔が穿設される一方、前記キャップの下方脚部に下方に向けて突出する係合片が設けられ、
前記キャップの上方脚部の少なくとも一部が前記中空部材の上面壁の内面及び側面壁の内面に当接し、前記キャップの下方脚部の少なくとも一部が前記中空部材の下面壁の内面に当接してこれら脚部が前記中空部材の端部の開口部に嵌合されると共に、前記下方脚部の係合片が前記中空部材の下面壁の係合孔に係合されることによって前記キャップが前記中空部材の開口部に固定されていることを特徴とする浴槽蓋。
【請求項４】
前記脚部の係合片が前記中空部材の下面壁の係合孔に係合された状態において、前記係合孔には水が通過できる隙間が形成されている請求項１〜３のいずれか１項に記載の浴槽蓋。
【請求項５】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面から突設された脚部とを備えてなり、
前記中空部材の内面における前記開口部近傍位置に内方に突出した係合突起が設けられる一方、前記キャップの脚部に係合片が設けられ、
前記キャップの脚部が前記中空部材の端部の開口部に挿入配置されると共に、前記脚部の係合片が前記中空部材の係合突起に係合されることによって前記キャップが前記中空部材の開口部に固定されていることを特徴とする浴槽蓋。
【請求項６】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された上方脚部と、前記蓋部の背面の下方側から突設された下方脚部とを備えてなり、
前記中空部材の下面壁における前記開口部近傍位置に上方に向けて突出する係合突起が設けられる一方、前記キャップの下方脚部に下方に向けて突出する係合片が設けられ、
前記キャップの上方脚部の少なくとも一部が前記中空部材の上面壁の内面に当接して該上方脚部及び前記下方脚部が前記中空部材の端部の開口部に嵌合されると共に、前記下方脚部の係合片が前記中空部材の下面壁の係合突起に係合されることによって前記キャップが前記中空部材の開口部に固定されていることを特徴とする浴槽蓋。
【請求項７】
硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された左右一対の上方脚部と、前記蓋部の背面の下方側から突設された左右一対の下方脚部とを備えてなり、
前記中空部材の下面壁における前記開口部近傍位置に相互に幅方向に離間して一対の係合突起が上方に向けて突設される一方、前記キャップの下方脚部に下方に向けて突出する係合片が設けられ、
前記キャップの上方脚部の少なくとも一部が前記中空部材の上面壁の内面に当接して該上方脚部及び前記下方脚部が前記中空部材の端部の開口部に嵌合されると共に、前記下方脚部の係合片が前記中空部材の下面壁の係合突起に係合されることによって前記キャップが前記中空部材の開口部に固定されていることを特徴とする浴槽蓋。
【請求項８】
前記係合突起は、前記中空部材の下面壁の一部が上方に切り起こされて形成されたものからなり、前記中空部材の下面壁における当該切り起こし位置に通水孔が形成されている請求項６または７に記載の浴槽蓋。
【請求項９】
前記キャップの上方脚部に上方に向けて突出する突部が設けられ、該突部が前記中空部材の上面壁の内面に当接している請求項２、３、４、６、７、８のいずれか１項に記載の浴槽蓋。
【請求項１０】
前記上方脚部の先端は、上から下に向けて外方側に傾斜するテーパー面に形成され、前記下方脚部の先端は、下から上に向けて外方側に傾斜するテーパー面に形成されている請求項２、３、４、６、７、８、９のいずれか１項に記載の浴槽蓋。
【発明の詳細な説明】
【技術分野】
【０００１】
この発明は、例えばシャッター式浴槽蓋、折り畳み式浴槽蓋等として用いられる巻取り又は折畳み自在な浴槽蓋に関する。
【背景技術】
【０００２】
例えば巻取り自在なシャッター式浴槽蓋としては、硬質合成樹脂製の長尺の中空部材が複数本平行状に配置され、隣り合う中空部材同士が軟質合成樹脂からなる長尺の連結片によって連結一体化され、各中空部材の両端開口部に合成樹脂製のキャップが装着されたものが公知である（特許文献１参照）。このキャップの背面からは挿入片が突設されており、該挿入片を中空部材の両端の開口部に内側から嵌合せしめると共に、キャップの背面の周縁部を中空部材の端部開口面に超音波溶着せしめることによって、中空部材の両端開口部にキャップが接合一体化されているものである。
【特許文献１】特開平７−９６５６０号公報（請求項１、段落００３１、００４１）
【発明の開示】
【発明が解決しようとする課題】
【０００３】
しかしながら、上記従来構成に係る浴槽蓋では、キャップと中空部材とを超音波溶着により一体化してはいるものの、この超音波溶着は相互の接触界面でなされていることから、例えば浴槽蓋を落下させたり、浴槽室内の壁面に衝突させる等して強い力や衝撃がキャップにかかった場合には、キャップが外れて離脱することがあり、このように接合耐久性に劣るという問題があった。更に、超音波溶着を行うためには超音波溶着装置が必要となるから、設備コストを増大させるという問題もあった。
【０００４】
この発明は、かかる技術的背景に鑑みてなされたものであって、低コストであると共に、キャップの中空部材に対する固定強度を十分に確保することができて、たとえ強い力や衝撃が作用した場合であってもキャップが離脱することのない浴槽蓋を提供することを目的とする。
【課題を解決するための手段】
【０００５】
前記目的を達成するために、本発明は以下の手段を提供する。
【０００６】
［１］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面から突設された脚部とを備えてなり、
前記中空部材における前記開口部近傍位置に係合孔が穿設される一方、前記キャップの脚部に係合片が設けられ、
前記キャップの脚部が前記中空部材の端部の開口部に挿入配置されると共に、前記脚部の係合片が前記中空部材の係合孔に係合されることによって前記キャップが前記中空部材の開口部に固定されていることを特徴とする浴槽蓋。
【０００７】
［２］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された上方脚部と、前記蓋部の背面の下方側から突設された下方脚部とを備えてなり、
前記中空部材の下面壁における前記開口部近傍位置に係合孔が穿設される一方、前記キャップの下方脚部に下方に向けて突出する係合片が設けられ、
前記キャップの上方脚部の少なくとも一部が前記中空部材の上面壁の内面に当接し、前記キャップの下方脚部の少なくとも一部が前記中空部材の下面壁の内面に当接してこれら脚部が前記中空部材の端部の開口部に嵌合されると共に、前記下方脚部の係合片が前記中空部材の下面壁の係合孔に係合されることによって前記キャップが前記中空部材の開口部に固定されていることを特徴とする浴槽蓋。
【０００８】
［３］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された左右一対の上方脚部と、前記蓋部の背面の下方側から突設された左右一対の下方脚部とを備えてなり、
前記中空部材の下面壁における前記開口部近傍位置に相互に幅方向に離間して一対の係合孔が穿設される一方、前記キャップの下方脚部に下方に向けて突出する係合片が設けられ、
前記キャップの上方脚部の少なくとも一部が前記中空部材の上面壁の内面及び側面壁の内面に当接し、前記キャップの下方脚部の少なくとも一部が前記中空部材の下面壁の内面に当接してこれら脚部が前記中空部材の端部の開口部に嵌合されると共に、前記下方脚部の係合片が前記中空部材の下面壁の係合孔に係合されることによって前記キャップが前記中空部材の開口部に固定されていることを特徴とする浴槽蓋。
【０００９】
［４］前記脚部の係合片が前記中空部材の下面壁の係合孔に係合された状態において、前記係合孔には水が通過できる隙間が形成されている前項１〜３のいずれか１項に記載の浴槽蓋。
【００１０】
［５］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面から突設された脚部とを備えてなり、
前記中空部材の内面における前記開口部近傍位置に内方に突出した係合突起が設けられる一方、前記キャップの脚部に係合片が設けられ、
前記キャップの脚部が前記中空部材の端部の開口部に挿入配置されると共に、前記脚部の係合片が前記中空部材の係合突起に係合されることによって前記キャップが前記中空部材の開口部に固定されていることを特徴とする浴槽蓋。
【００１１】
［６］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された上方脚部と、前記蓋部の背面の下方側から突設された下方脚部とを備えてなり、
前記中空部材の下面壁における前記開口部近傍位置に上方に向けて突出する係合突起が設けられる一方、前記キャップの下方脚部に下方に向けて突出する係合片が設けられ、
前記キャップの上方脚部の少なくとも一部が前記中空部材の上面壁の内面に当接して該上方脚部及び前記下方脚部が前記中空部材の端部の開口部に嵌合されると共に、前記下方脚部の係合片が前記中空部材の下面壁の係合突起に係合されることによって前記キャップが前記中空部材の開口部に固定されていることを特徴とする浴槽蓋。
【００１２】
［７］硬質合成樹脂からなる長尺の中空部材が複数本平行状に配置され、隣り合う中空部材同士が軟質合成樹脂からなる長尺の連結片によって連結一体化され、前記中空部材の両端の開口部に硬質合成樹脂製のキャップが装着されてなる浴槽蓋において、
前記キャップは、前記中空部材の端部開口面に対応する形状及び大きさに形成された蓋部と、該蓋部の背面の上方側から突設された左右一対の上方脚部と、前記蓋部の背面の下方側から突設された左右一対の下方脚部とを備えてなり、
前記中空部材の下面壁における前記開口部近傍位置に相互に幅方向に離間して一対の係合突起が上方に向けて突設される一方、前記キャップの下方脚部に下方に向けて突出する係合片が設けられ、
前記キャップの上方脚部の少なくとも一部が前記中空部材の上面壁の内面に当接して該上方脚部及び前記下方脚部が前記中空部材の端部の開口部に嵌合されると共に、前記下方脚部の係合片が前記中空部材の下面壁の係合突起に係合されることによって前記キャップが前記中空部材の開口部に固定されていることを特徴とする浴槽蓋。
【００１３】
［８］前記係合突起は、前記中空部材の下面壁の一部が上方に切り起こされて形成されたものからなり、前記中空部材の下面壁における当該切り起こし位置に通水孔が形成されている前項６または７に記載の浴槽蓋。
【００１４】
［９］前記キャップの上方脚部に上方に向けて突出する突部が設けられ、該突部が前記中空部材の上面壁の内面に当接している前項２、３、４、６、７、８のいずれか１項に記載の浴槽蓋。
【００１５】
［１０］前記上方脚部の先端は、上から下に向けて外方側に傾斜するテーパー面に形成され、前記下方脚部の先端は、下から上に向けて外方側に傾斜するテーパー面に形成されている前項２、３、４、６、７、８、９のいずれか１項に記載の浴槽蓋。
【発明の効果】
【００１６】
［１］の発明では、キャップの脚部が中空部材の端部の開口部に挿入配置された上で、キャップの脚部の係合片が中空部材の係合孔に係合されているから、キャップは中空部材の開口部に固定される。従って、たとえ浴槽蓋を落下させたり、浴槽室内の壁面に衝突させる等して強い力や衝撃がキャップにかかった場合においても、キャップの離脱を防止できる。また、キャップの装着固定に際し溶着を行う必要がないので、低コストにかつ効率良く生産され得る。
【００１７】
［２］の発明では、キャップの上方脚部の少なくとも一部が中空部材の上面壁の内面に当接し、キャップの下方脚部の少なくとも一部が中空部材の下面壁の内面に当接してこれら脚部が中空部材の端部の開口部に嵌合された状態で、さらに下方脚部の係合片が中空部材の下面壁の係合孔に係合されているから、キャップは中空部材の開口部に強固に固定される。従って、たとえ浴槽蓋を落下させたり、浴槽室内の壁面に衝突させる等して強い力や衝撃がキャップにかかった場合でも、キャップの離脱を十分に防止できる。また、キャップの装着固定に際し溶着を行う必要がないので、低コストにかつ効率良く生産され得る。
【００１８】
［３］の発明では、キャップの上方脚部の少なくとも一部が中空部材の上面壁の内面に当接し、キャップの下方脚部の少なくとも一部が中空部材の下面壁の内面に当接してこれら脚部が中空部材の端部の開口部に嵌合された状態で、さらに下方脚部の係合片が中空部材の下面壁の係合孔に係合されているから、キャップは中空部材の開口部に強固に固定される。従って、たとえ浴槽蓋を落下させたり、浴槽室内の壁面に衝突させる等して強い力や衝撃がキャップにかかった場合でも、キャップの離脱を十分に防止できる。更に、キャップの左右一対の上方脚部のいずれもが中空部材の側面壁にも当接して配置されているから、固定されたキャップのガタツキ発生を確実に防止できる利点がある。また、キャップの装着固定に際し溶着を行う必要がないので、低コストにかつ効率良く生産され得る。
【００１９】
［４］の発明では、中空部材内に侵入した水を外に抜くことが可能となる。
【００２０】
［５］の発明では、キャップの脚部が中空部材の端部の開口部に挿入配置された上で、キャップの脚部の係合片が中空部材の係合突起に係合されているから、キャップは中空部材の開口部に固定される。従って、たとえ浴槽蓋を落下させたり、浴槽室内の壁面に衝突させる等して強い力や衝撃がキャップにかかった場合においても、キャップの離脱を防止できる。また、キャップの装着固定に際し溶着を行う必要がないので、低コストにかつ効率良く生産され得る。
【００２１】
［６］の発明では、キャップの上方脚部の少なくとも一部が中空部材の上面壁の内面に当接して上方脚部及び下方脚部が中空部材の端部の開口部に嵌合された状態で、さらに下方脚部の係合片が中空部材の下面壁の係合突起に係合されているから、キャップは中空部材の開口部に強固に固定される。従って、たとえ浴槽蓋を落下させたり、浴槽室内の壁面に衝突させる等して強い力や衝撃がキャップにかかった場合でも、キャップの離脱を十分に防止できる。また、キャップの装着固定に際し溶着を行う必要がないので、低コストにかつ効率良く生産され得る。
【００２２】
［７］の発明では、キャップの上方脚部の少なくとも一部が中空部材の上面壁の内面に当接して上方脚部及び下方脚部が中空部材の端部の開口部に嵌合された状態で、さらに下方脚部の係合片が中空部材の下面壁の係合突起に係合されているから、キャップは中空部材の開口部に強固に固定される。従って、たとえ浴槽蓋を落下させたり、浴槽室内の壁面に衝突させる等して強い力や衝撃がキャップにかかった場合でもキャップの離脱を十分に防止できる。更に、キャップの左右一対の上方脚部のいずれもが中空部材の側面壁にも当接して配置されているから、固定されたキャップのガタツキ発生を確実に防止できる利点がある。また、キャップの装着固定に際し溶着を行う必要がないので、低コストにかつ効率良く生産され得る。
【００２３】
［８］の発明では、中空部材の下面壁の一部を切り起こすという簡易な操作で係合突起が形成され得て低コストで製作され得る上に、該切り起こしによって通水孔も形成されるので中空部材内に侵入した水は効率良く外に排除されるものとなる。
【００２４】
［９］の発明では、キャップの上方脚部に上方に向けて突出した突部が設けられて、該突部が中空部材の上面壁の内面に当接しているから、上方脚部は内側に若干曲げられた状態となり、元の状態（初期状態）に復帰しようとする復帰力が中空部材の上面壁に対して押し上げる力となって働き、これによってキャップは中空部材の開口部により強固に固定されるものとなる。
【００２５】
［１０］の発明では、上方脚部の先端、下方脚部の先端のいずれもがテーパー面に形成されているので、キャップの脚部の中空部材の端部の開口部への挿入嵌合操作がスムーズなものとなり、キャップの装着作業性が良くなる。
【発明を実施するための最良の形態】
【００２６】
この発明の一実施形態に係る浴槽蓋（１）を図１〜３に示す。この浴槽蓋（１）は、巻取り自在なシャッター式浴槽蓋であり、図１、２に示すように、硬質合成樹脂からなる長尺の中空部材（２）…が一定間隔をあけて複数本平行状に配置され、隣り合う中空部材（２）同士がその下面縁部において軟質合成樹脂からなる長尺の連結片（３）によって連結一体化され、前記中空部材（２）の内部に該中空部材の上面壁（２ａ）と下面壁（２ｂ）とをつなぐ硬質合成樹脂製の補強用リブ（４）が垂直状に設けられて中空部材（２）の内部空間が２室に略均等に分割されると共に、前記各中空部材（２）の両端の開口部に硬質合成樹脂製のキャップ（５）が装着されたものである。
【００２７】
図４に示すように、前記中空部材（２）の下面壁（２ｂ）における前記開口部近傍位置には、相互に中空部材の幅方向に離間して配置された係合孔（６）（６）が設けられている。前記係合孔（６）の形状は平面視矩形状である。
【００２８】
前記キャップ（５）は、図５、６に示すように、前記中空部材（２）の端部開口面に対応する形状及び大きさに形成された蓋部（１０）と、該蓋部（１０）の背面の上方側から水平状に突設された左右一対の上方脚部（１１）（１２）と、前記蓋部（１０）の背面の下方側から水平状に突設された左右一対の下方脚部（１３）（１４）とからなる。
【００２９】
前記下方脚部（１３）（１４）の先端側には下方に向けて突出する係合片（１５）が設けられている（図５、６参照）。また、前記下方脚部（１３）（１４）の先端は、下から上に向けて外方側に傾斜するテーパー面に形成されている（図６（ハ）参照）。
【００３０】
前記上方脚部（１１）（１２）は、断面視略Ｌ字状に形成されており、その先端部のやや内方側に突部（１６）が形成されている。この突部（１６）は、上方脚部（１１）（１２）に対してその上方側および横方向外方側に向けて突出して設けられている（図５参照）。また、前記上方脚部（１１）（１２）の先端は、上から下に向けて外方側に傾斜するテーパー面に形成されている（図６（ハ）参照）。
【００３１】
しかして、このような構造を備えたキャップ（５）を前記各中空部材（２）の両端の開口部に押し込んで装着すれば、即ち、前記キャップ（５）の上方脚部（１１）（１２）を前記中空部材（２）の内部の各室の上面壁（２ａ）の内面に、前記キャップ（５）の下方脚部（１３）（１４）を前記中空部材（２）の内部の各室の下面壁（２ｂ）の内面にそれぞれ当接せしめてこれら脚部（１１）（１２）（１３）（１４）を中空部材（２）の端部の開口部の内側に挿入嵌合すれば、前記下方脚部（１３）（１４）の係合片（１５）（１５）がそれぞれ前記中空部材（２）の下面壁（２ｂ）の係合孔（６）（６）に係合され（図３参照）、これによって前記キャップ（５）が前記中空部材（２）の開口部に強固に固定される。更に、キャップ（５）の左右一対の上方脚部（１１）（１２）の突部（１６）のいずれもが前記中空部材（２）の側面壁（２ｃ）にも当接して配置されているから、固定されたキャップ（５）のガタツキ発生を確実に防止できる。また、前記上方脚部（１１）（１２）は、前記突部（１６）が中空部材の上面壁（２ａ）及び側面壁（２ｃ）に当接することで、内側に若干曲げられた状態で挿入嵌合されており（図３参照）、これによって元の状態（初期状態）に復帰しようとする復帰力（押す力）が中空部材（２）の上面壁（２ａ）に対して働くから、キャップ（５）は前記中空部材（２）の開口部により強固に固定される。従って、たとえ浴槽蓋（１）を落下させたり、浴槽室内の壁面に衝突させる等して強い力や衝撃がキャップ（５）にかかった場合でも、キャップ（５）が外れて離脱することはない。
【００３２】
次に、この発明の浴槽蓋（１）の他の実施形態について図７〜９を参照しつつ説明する。前記実施形態と同一の構成部材については同一の符号を付してその説明は省略する。なお、図７におけるＤ−Ｄ線の断面図は、図２と全く同一である。
【００３３】
この実施形態では、前記中空部材（２）の下面壁（２ｂ）における前記開口部近傍位置に、相互に中空部材の幅方向に離間して配置された係合突起（２０）（２０）が設けられている（図７参照）。これら一対の係合突起（２０）（２０）は、前記下面壁（２ｂ）から上方に向けて突出する態様で配置されている。この係合突起（２０）は、前記下面壁（２ｂ）に略コの字状の切り込みが入れられた後、当該切り込み部が上方に切り起こされて形成されたものである。従って、図７に示すように、当該切り起こし位置には通水孔（２１）が形成されている。この通水孔（２１）によって前記中空部材（２）内に侵入した水を外に抜くことが可能となる。
【００３４】
キャップ（５）の構成は、前記実施形態と同様であるが、異なる点は下方脚部（１３）（１４）の厚さと係合片（１５）の形状のみである。即ち、下方脚部（１３）（１４）の厚さは前記実施形態よりも薄く形成されると共に、係合片（１５）は尖鋭な突起形状に構成されている（図９参照）。
【００３５】
しかして、このような構造を備えたキャップ（５）を前記各中空部材（２）の両端の開口部に押し込んで装着すれば、即ち、前記キャップ（５）の上方脚部（１１）（１２）及び下方脚部（１３）（１４）を中空部材（２）の端部の開口部の内側に挿入嵌合すれば、前記下方脚部（１３）（１４）の係合片（１５）（１５）がそれぞれ前記中空部材（２）の下面壁（２ｂ）の係合突起（２０）（２０）に係合され（図８参照）、これによって前記キャップ（５）が前記中空部材（２）の開口部に強固に固定される。更に、キャップ（５）の左右一対の上方脚部（１１）（１２）の突部（１６）のいずれもが前記中空部材（２）の側面壁（２ｃ）にも当接して配置されているから、固定されたキャップ（５）のガタツキ発生を確実に防止できる。また、前記上方脚部（１１）（１２）は、前記突部（１６）が中空部材の上面壁（２ａ）及び側面壁（２ｃ）に当接することで、内側に若干曲げられた状態で挿入嵌合されており（図８参照）、これによって元の状態（初期状態）に復帰しようとする復帰力（押す力）が中空部材（２）の上面壁（２ａ）に対して働くから、キャップ（５）は前記中空部材（２）の開口部により強固に固定される。
【００３６】
上記実施形態では、いずれも中空部材（２）の内部に１本の補強用リブ（４）が設けられて中空部材（２）の内部空間が２室に分割されているが、特にこのような形態に限定されるものではなく、例えば補強用リブ（４）が設けられていない構成を採用しても良いし、また中空部材（２）の内部に２本の補強用リブ（４）（４）が設けられて中空部材（２）の内部空間が３室に分割された構成を採用しても良いし、或いは４室以上に分割されていても良い。
【００３７】
また、上記実施形態では、いずれも巻取り自在なシャッター式浴槽蓋に構成されているが、特にこれに限定されるものではなく、例えば図１０に示すような折り畳み自在な浴槽蓋に構成されても良い。即ち、この浴槽蓋では、中空部材（２）の上面縁部同士を連結する第１連結態様、中空部材（２）の下面縁部同士を連結する第２連結態様の２種類採用されて、これら第１連結態様と第２連結態様が交互配置となるようになされており、容易に折り畳むことが可能である。
【００３８】
この発明において、前記中空部材（２）、補強用リブ（４）及びキャップ（５）を構成する硬質合成樹脂としては、特に限定されるものではないが、例えばポリプロピレン、ＡＢＳ樹脂、硬質塩化ビニル樹脂等が挙げられる。中でも、耐熱性、耐薬品性に優れると共に焼却処理の際等に塩化水素等の有毒ガスを発生することがなく環境保全の要請に十分に応えることができることから、ポリプロピレンを用いるのが好ましい。
【００３９】
また、前記連結片（３）を構成する軟質合成樹脂としては、特に限定されるものではないが、例えば熱可塑性エラストマー、あるいはポリプロピレン等の硬質合成樹脂に改質剤を添加して軟質化した軟質合成樹脂等が挙げられる。
【００４０】
前記前者の熱可塑性エラストマーとしては、例えばポリプロピレン系熱可塑性エラストマー等の他に、水素添加スチレン・ブタジエンラバー（ＨＳＢＲ）等に代表される水素添加スチレン・共役ジエン系ラバー、あるいはスチレン・エチレン／ブチレン・スチレンブロック共重合体等に代表される水素添加スチレン・共役ジエン・スチレンブロック共重合体、あるいはまたエチレン、プロピレン、ブテン−１よりなる群から選択される２種以上の成分の共重合体（例えばエチレン・ブテン共重合体ゴム、プロピレン・ブテン共重合体ゴム、エチレン・プロピレン・ブテン共重合体ゴムなど）等が挙げられる。
【００４１】
前記後者における軟質化のための改質剤としては、例えば前者の熱可塑性エラストマーが挙げられる。
【００４２】
なお、前記硬質合成樹脂、軟質合成樹脂いずれにおいても、必要に応じて酸化防止剤、安定剤、充填剤、紫外線吸収剤、帯電防止剤、顔料等の各種添加剤を添加しても良い。
【図面の簡単な説明】
【００４３】
【図１】この発明に係る浴槽蓋の一実施形態を示す斜視図である。
【図２】図１におけるＡ−Ａ線の断面図（図７におけるＤ−Ｄ線の断面図）である。
【図３】図２におけるＢ−Ｂ線の断面図である。
【図４】中空部材の端部（キャップ装着前）を上面壁の一部を切り欠いて示す平面図である。
【図５】キャップの背面側斜視図である。
【図６】キャップを示す図であって、（イ）は正面図、（ロ）は背面図、（ハ）は右側面図である。
【図７】この発明に係る浴槽蓋の他の実施形態を示す斜視図である（拡大図においては中空部材の一部を切り欠いて示す）。
【図８】図７におけるＣ−Ｃ線の断面図である。
【図９】図７の浴槽蓋で用いられたキャップの背面側斜視図である。
【図１０】他の実施形態に係る浴槽蓋を示す断面図である。
【符号の説明】
【００４４】
１…浴槽蓋
２…中空部材
２ａ…上面壁
２ｂ…下面壁
２ｃ…側面壁
３…連結片
４…補強用リブ
５…キャップ
６…係合孔
１０…キャップ蓋部
１１、１２…上方脚部
１３、１４…下方脚部
１５…係合片
１６…突部
２０…係合突起
２１…通水孔
【図１】
2005073882.tif 000003
【図２】
2005073882.tif 000004
【図３】
2005073882.tif 000005
【図４】
2005073882.tif 000006
【図５】
2005073882.tif 000007
【図６】
2005073882.tif 000008
【図７】
2005073882.tif 000009
【図８】
2005073882.tif 000010
【図９】
2005073882.tif 000011
【図１０】
2005073882.tif 000012